(57)【特許請求の範囲】
【請求項１】
ＤＣ電源と負荷との間に直列に第１の過熱自己遮断型半導体スイッチを接続すると共に、
前記第１の過熱自己遮断型半導体スイッチと同じ特性を有し前記第１の過熱自己遮断型半導体スイッチにヒューズを溶断させないで回路に流せる限界電流以下の電流が流れたときに発生するドレイン・ソース間電圧と同じ電圧をドレイン・ソース間に発生させる電流を流すリファレンス抵抗をソースに接続する第２の過熱自己遮断型半導体スイッチを前記第１の過熱自己遮断型半導体スイッチに並列に接続してなるリファレンス回路と、
前記第１の過熱自己遮断型半導体スイッチのドレイン・ソース間電圧と前記第２の過熱自己遮断型半導体スイッチのドレイン・ソース間電圧との差と所定の過電流判定値とを比較して前記電流が前記ヒューズを溶断させないで回路に流せる限界電流を超える過電流であるか否かを判別し、該判別結果に応じた検出信号を出力する比較回路と、その検出信号に応じた制御信号で前記第１の過熱自己遮断型半導体スイッチをオン、オフさせる駆動回路と、
スイッチ投入時から定格電流に至るまでの時間に対する電流供給値が予め記憶されており、スタート時に時間計測を行い、前記第１の過熱自己遮断型半導体スイッチのオン・オフ制御を行うマイコンとを設け、
スイッチ投入によって時間計数を開始し、前記第１の過熱自己遮断型半導体スイッチのドレイン・ソース間と前記第２の過熱自己遮断型半導体スイッチのドレイン・ソース間の第１の差電流と、前記第１の過熱自己遮断型半導体スイッチに内蔵の温度センサの両端の第２の差電流の差の電流値が予め記憶されている経過時間に対する供給電流値に合うようにスイッチ投入時から定格電流に至るまで前記第１の過熱自己遮断型半導体スイッチをオン・オフして負荷に過電流が供給されないようにすると共に、前記比較回路の比較結果、前記第１の過熱自己遮断型半導体スイッチに前記ヒューズを溶断させないで回路に流せる限界電流を超える電流が流れたと判定したときに、前記第１の過熱自己遮断型半導体スイッチをオフし、所定の時間間隔で前記第１の過熱自己遮断型半導体スイッチのオン・オフを繰り返し、前記第１の過熱自己遮断型半導体スイッチがオフする状態が所定回数生じたときに短絡状態を検出して、前記第１の過熱自己遮断型半導体スイッチをオフ状態にすることを特徴とする電源供給制御装置。
【発明の詳細な説明】
【０００１】
【発明の属する技術分野】
本発明は、負荷に電源を供給する電源供給制御装置に係り、特にヒューズ溶断特性に沿って最大の電流を供給することのできる電源供給制御装置に関する。
【０００２】
【従来の技術】
自動車に搭載されるバッテリには、種々の負荷が接続されており、この負荷にバッテリから一定の電流が供給されている。この負荷がランプのような場合、スイッチを投入し点灯すると、最初、ランプ温度が低いためランプの抵抗値が低く突入電流が大きく流れる。このランプに過剰電流が流れた後、ランプ温度が徐々に上がってきてランプの抵抗値が高くなってきて、ランプに流れる電流が下がってきてやがて定格電流に安定する。
【０００３】
このメインの電源のランプ負荷への供給は、従来、図７に示す如く、バッテリＶＢには、ヒューズ９を介してパワートランジスタ等の半導体電流制御素子（半導体リレー）１０が接続されており、この半導体電流制御素子１０にランプ負荷１２が接続されている。このヒューズ９は、回路保護用のもので、回路に所定の電流以上の電流が流れたときに溶断し、電線が燃焼するのを防止するものである。また、この半導体電流制御素子１０は、マイコン１１によって制御され、バッテリＶＢから一定の電源が負荷１２に供給されている。このような電源供給回路の場合、スイッチの投入時、ランフ負荷に流れる突入電流は、図８のランプ負荷の電流特性曲線Ａに示す如く、ヒューズ溶断特性曲線Ｂの電流値を超えないように設定してある。そして、この図８に図示のヒューズ溶断特性曲線Ｂは、ヒューズ９を溶断させないで回路に流せる電流値の限界を示したものである。
また、この図８には、ヒューズ溶断特性曲線Ｂの上側に電線の発煙特性曲線Ｃが示されている。この発煙特性曲線Ｃは、この特性の電流を回路に供給すると、回路が燃焼する（発煙を生じる）電流値を示している。
【０００４】
このようにランプ負荷に供給される電流がヒューズ溶断特性曲線Ｂの電流値を超えるとヒューズ９が溶断するため、ランプ負荷に供給される電流は、ヒューズ溶断特性曲線Ｂの下側をいくように設定されたランプ負荷電流特性曲線Ａにしたがって供給される。
【０００５】
【発明が解決しようとする課題】
スイッチを投入当初、ランプは冷えており、抵抗値が低くなっている。このため、スイッチを投入し、ランプ負荷１２に電源を供給すると、スイッチ投入直後ランプ負荷１２には、図８の特性曲線Ａに示す如く、大きな突入電流が流れる。その後、ランプ負荷１２の抵抗値がランプ負荷１２の温度上昇と共に上昇するため、ランプ負荷１２に流れる電流値は、時間と共に下がっていき、やがて定格電流に安定する。ところが、ランプ負荷電流は、スイッチを投入後に大きな突入電流が流れ、その後、図８の特性曲線Ａに示す如く、急激に電流が低下する。
【０００６】
このような状態で、定格電流に至るまでの時間を短くするには、突入電流を大きく取ることによって達成することはできるが、そのためには配線の電流容量が大きいものを使用しなければならず、線材の細線化傾向に逆行することになる。また、線材の細線化を図るためにヒューズ容量を小さくし、配線の電流容量を小さくすると、ヒューズ溶断特性曲線Ｂの電流値を超えないように低く設定することができるが、ランプ負荷の温度上昇が低く、定格電流に至るまでの時間が掛ってしまうという問題がある。
【０００７】
本発明の目的は、回路保護用のヒューズを用いないで、ヒューズ溶断特性曲線上に負荷電流を供給制御し、スイッチ投入後短時間で定格電流に安定させるようにしようということにある。
【０００８】
【課題を解決するための手段】
本発明に係る電源供給制御装置は、ＤＣ電源と負荷との間に直列に第１の過熱自己遮断型半導体スイッチを接続すると共に、
前記第１の過熱自己遮断型半導体スイッチと同じ特性を有し前記第１の過熱自己遮断型半導体スイッチにヒューズを溶断させないで回路に流せる限界電流以下の電流が流れたときに発生するドレイン・ソース間電圧と同じ電圧をドレイン・ソース間に発生させる電流を流すリファレンス抵抗をソースに接続する第２の過熱自己遮断型半導体スイッチを前記第１の過熱自己遮断型半導体スイッチに並列に接続してなるリファレンス回路と、
前記第１の過熱自己遮断型半導体スイッチのドレイン・ソース間電圧と前記第２の過熱自己遮断型半導体スイッチのドレイン・ソース間電圧との差と所定の過電流判定値とを比較して前記電流が前記ヒューズを溶断させないで回路に流せる限界電流を超える過電流であるか否かを判別し、該判別結果に応じた検出信号を出力する比較回路と、その検出信号に応じた制御信号で前記第１の過熱自己遮断型半導体スイッチをオン、オフさせる駆動回路と、
スイッチ投入時から定格電流に至るまでの時間に対する電流供給値が予め記憶されており、スタート時に時間計測を行い、前記第１の過熱自己遮断型半導体スイッチのオン・オフ制御を行うマイコンとを設け、
スイッチ投入によって時間計数を開始し、前記第１の過熱自己遮断型半導体スイッチのドレイン・ソース間と前記第２の過熱自己遮断型半導体スイッチのドレイン・ソース間の第１の差電流と、前記第１の過熱自己遮断型半導体スイッチに内蔵の温度センサの両端の第２の差電流の差の電流値が予め記憶されている経過時間に対する供給電流値に合うようにスイッチ投入時から定格電流に至るまで前記第１の過熱自己遮断型半導体スイッチをオン・オフして負荷に過電流が供給されないようにすると共に、前記比較回路の比較結果、前記第１の過熱自己遮断型半導体スイッチに前記ヒューズを溶断させないで回路に流せる限界電流を超える電流が流れたと判定したときに、前記第１の過熱自己遮断型半導体スイッチをオフし、所定の時間間隔で前記第１の過熱自己遮断型半導体スイッチのオン・オフを繰り返し、前記第１の過熱自己遮断型半導体スイッチがオフする状態が所定回数生じたときに短絡状態を検出して、前記第１の過熱自己遮断型半導体スイッチをオフ状態にするようにしたものである。
このように構成することにより、本発明によると、回路保護用のヒューズを用いないで、ヒューズ溶断特性曲線上に負荷電流を供給制御し、スイッチ投入後短時間で定格電流に安定させることができる。
【０００９】
【発明の実施の形態】
以下、本発明に係る実施の形態について説明する。
図１には、本発明に係る電源供給制御装置の一実施の形態が示されている。
【００１０】
図において、電源供給装置１の入力端子Ａには、バッテリＶＢが接続されており、電源供給装置１の入力端子Ｃには、抵抗Ｒ４を介してバッテリＶＢが接続されている。また、この入力端子Ｃには、スイッチＳＷ１の一端が接続されており、このスイッチＳＷ１の他端は接地されている。出力端子Ｈには、コンデンサＣ１が接続されている。このコンデンサＣ１は、ＯＮ／ＯＦＦ計数回路のＲＣ積分回路のコンデンサである。
また、出力端子Ｂには、一端が接地されている負荷Ｌが接続されている。また、電源供給装置１の出力端子Ｅには、第１のリファレンス回路の第１のリファレンス抵抗Ｒｒ１の一端が接続されており、他端は接地されている。この第１のリファレンス抵抗Ｒｒ１が第１のリファレンス回路のリファレンス抵抗で、この第１のリファレンス抵抗Ｒｒ１によって第１のリファレンス電圧（過電流検出用の基準電圧）が作られる。
【００１１】
また、出力端子Ｆには、第２のリファレンス回路の第２のリファレンス抵抗Ｒｒ２が接続されている。この第２のリファレンス抵抗Ｒｒ２によって第２のリファレンス電圧（過小電流検出用の基準電圧）が作られる。
【００１２】
また、電源供給装置１の出力端子Ｍには、オペアンプ５の（−）入力端子が、出力端子Ｎには、オペアンプ５の（＋）入力端子がそれぞれ接続されている。この出力端子Ｍと出力端子Ｎは、図３に示す如く、第１の過熱自己遮断型半導体スイッチＱＡのメインＦＥＴＱ１の温度検知回路の温度センサの両端から取り出した端子である。すなわち、温度センサの両端の差電流を増幅して取り出している。
一方、電源供給装置１の出力端子Ｂと出力端子Ｅとは、抵抗Ｒ１１を介して接続されている。この抵抗Ｒ１１と出力端子Ｂとの接続端には、オペアンプ６の（−）入力端子が、抵抗Ｒ１１と出力端子Ｅとの接続端には、オペアンプ６の（＋）入力端子がそれぞれ接続されている。したがって、出力端子Ｂに流れる電流と出力端子Ｅに流れる電流との差電流を増幅して取り出している。
【００１３】
また、このオペアンプ６の出力端子には、オペアンプ７の（−）入力端子が接続されている。このオペアンプ７の（＋）入力端子には、オペアンプ５の出力端子が接続されている。このオペアンプ７の出力端子には、マイコン８が接続されている。このマイコン８の出力端子が電源供給装置１の入力端子Ｃに接続されている。したがって、このオペアンプ７は、オペアンプ５からの出力差電流とオペアンプ６からの出力差電流との差を取って増幅して、電流信号としてマイコン８に入力している。このオペアンプ７からマイコン８に入力される電流信号は、アナログ信号であるので、マイコン８に内蔵されるＡ／Ｄ変換器でデジタル信号に変換されて取り込まれる。
このオペアンプ７から出力される電流値は、現在第１の過熱自己遮断型半導体スイッチＱＡのメインＦＥＴＱ１に流れる電流値に相当する電流信号である。
【００１４】
電源供給装置１は、図２に示す如き構成を有している。すなわち、電源供給装置１は、自動車等の車両においてバッテリからヘッドライト等の各負荷に供給する電流を制御するもので、１個のチップとして構成されている。この電源供給装置１において○で示されているのは外部の素子を接続するための接続端子で、図１に示してある端子と一致している。
すなわち、電源供給制御装置１の入力側端子ＡにはバッテリＶＢが接続され、出力側端子Ｂには負荷Ｌが接続されている。一方、スイッチング端子Ｃには、一端が接地され他端が抵抗Ｒ４を介してバッテリＶＢに接続されるスイッチＳＷ１が接続されている。
また、入力側端子Ａには、第１の過熱自己遮断型半導体スイッチＱＡのドレン側端子ＤＡが接続されており、この第１の過熱自己遮断型半導体スイッチＱＡのソース側端子ＳＡには出力側端子Ｂが接続されている。また、第１の過熱自己遮断型半導体スイッチＱＡには、ゲート側端子ＧＡが設けられている。そして、この第１の過熱自己遮断型半導体スイッチＱＡは、バッテリＶＢと負荷Ｌとの間に直列に接続されている。
【００１５】
この第１の過熱自己遮断型半導体スイッチＱＡは、図３に示す如き構成を有している。すなわち、ドレン側端子ＤＡには、メインＦＥＴＱ１のドレンが接続されており、メインＦＥＴＱ１のソースには、ソース側端子ＳＡが接続されている。このメインＦＥＴＱ１のゲートは、内部抵抗ＲＡ（例えば、１０ｋΩ）を介してゲート側端子ＧＡに接続されている。このゲート側端子ＧＡとソース側端子ＳＡとの間には、温度検知回路３０が接続されている。この温度検知回路３０は、メインＦＥＴＱ１の温度を検出するためのもので、この温度検知回路３０には、ラッチ回路３１が接続されている。そして、この温度検知回路３０は、メインＦＥＴＱ１の温度が所定温度（異常温度）に達したときにラッチ回路３１にオン信号を出力する。ラッチ回路３１は、温度検知回路３０からの信号を受けてオン信号を出力し続ける作用を有している。このラッチ回路３１の出力端子には、過熱遮断用ＦＥＴＱ２のゲートが接続されており、温度検知回路３０がメインＦＥＴＱ１が過熱したことを検出したときにラッチ回路３１を介して出力されるオン信号によって過熱遮断用ＦＥＴＱ２がオンし、メインＦＥＴＱ１のゲート電圧を落としてメインＦＥＴＱ１を遮断する。
【００１６】
一方、第１の過熱自己遮断型半導体スイッチＱＡのソース側端子ＳＡには、出力側端子Ｂを介して負荷Ｌが接続されている。この負荷Ｌへの電力供給は、第１の過熱自己遮断型半導体スイッチＱＡのメインＦＥＴＱ１によって行われている。
このようにして第１の過熱自己遮断型半導体スイッチＱＡは、負荷短絡等によって過電流が流れたときに、メインＦＥＴＱ１が過熱して破壊されるのを防止するため、メインＦＥＴＱ１の温度が規定値以上に上昇すると自らの作用で強制的にオフ（遮断）する過熱自己遮断機能を備えている。この第１の過熱自己遮断型半導体スイッチＱＡを構成しているメインＦＥＴＱ１は、ＤＭＯＳ構造のＮＭＯＳＦＥＴで構成されている。
【００１７】
第１の過熱自己遮断型半導体スイッチＱＡのドレン側端子ＤＡには、第２の過熱自己遮断型半導体スイッチＱＢのドレン側端子ＤＢと、第３の過熱自己遮断型半導体スイッチＱＣのドレン側端子ＤＣが接続されている。そして、この第２の過熱自己遮断型半導体スイッチＱＢのソース側端子ＳＢには出力側端子Ｅが、また、第３の過熱自己遮断型半導体スイッチＱＣのソース側端子ＳＣには出力側端子Ｆが接続されている。また、第２の過熱自己遮断型半導体スイッチＱＢには、ゲート側端子ＧＢが、第３の過熱自己遮断型半導体スイッチＱＣには、ゲート側端子ＧＣが設けられている。
【００１８】
この第２の過熱自己遮断型半導体スイッチＱＢは、図４に示す如き構成を有しており、この第２の過熱自己遮断型半導体スイッチＱＢは、図３に図示の第１の過熱自己遮断型半導体スイッチＱＡと同一の構成となっている。すなわち、ドレン側端子ＤＢには、メインＦＥＴＱ３のドレンが接続されており、メインＦＥＴＱ３のソースには、ソース側端子ＳＢが接続されている。このメインＦＥＴＱ３のゲートは、内部抵抗ＲＢ（例えば、１０ｋΩ）を介してゲート側端子ＧＢに接続されている。このゲート側端子ＧＢとソース側端子ＳＢとの間には、温度検知回路４０が接続されている。この温度検知回路４０は、メインＦＥＴＱ３の温度を検出するためのもので、この温度検知回路４０には、ラッチ回路４１が接続されている。そして、この温度検知回路４０は、メインＦＥＴＱ３に所定電流より過大の電流が流れる等によってメインＦＥＴＱ３の温度が所定温度（異常温度）以上になったときにラッチ回路４１にオン信号を出力する機能を有している。そして、このラッチ回路４１は、温度検知回路４０からの信号を受けてオン信号を出力し続ける作用を有している。さらに、このラッチ回路４１の出力端子には、過熱遮断用ＦＥＴＱ４のゲートが接続されており、温度検知回路４０によってメインＦＥＴＱ３が過熱したことを検出したときは、ラッチ回路４１を介して出力されるオン信号によって過熱遮断用ＦＥＴＱ４をオンし、メインＦＥＴＱ３のゲート電圧を落としてメインＦＥＴＱ３を遮断する。
【００１９】
一方、第２の過熱自己遮断型半導体スイッチＱＢのソース側端子ＳＢには、出力側端子Ｅを介して第１のリファレンス抵抗Ｒｒ１が接続されており、この第１のリファレンス抵抗Ｒｒ１の他端は接地されている。そして、このメインＦＥＴＱ３と第１のリファレンス抵抗Ｒｒ１とによって第１のリファレンス回路が構成されている。この第１のリファレンス回路は、第１の過熱自己遮断型半導体スイッチＱＡのメインＦＥＴＱ１と負荷Ｌとの直列回路に並列に接続されている。  この第１のリファレンス回路は、第１の過熱自己遮断型半導体スイッチＱＡのメインＦＥＴＱ１をオンして負荷Ｌに電流を流し、この負荷Ｌに正常に電流が流れている状態のときに第１の過熱自己遮断型半導体スイッチＱＡのメインＦＥＴＱ１のソース（ソース側端子ＳＡ）に発生する電圧と同じ電圧（基準電圧）を、第２の過熱自己遮断型半導体スイッチＱＢのメインＦＥＴＱ３のソース（ソース側端子ＳＢ）に常時発生させる作用を有している。すなわち、この第２の過熱自己遮断型半導体スイッチＱＢのメインＦＥＴＱ３のソース（ソース側端子ＳＢ）には、第１の過熱自己遮断型半導体スイッチＱＡのソース側端子ＳＡに接続される負荷Ｌの状態の変化に拘わらず、常に一定したソース電圧が発生するようになっている。この第２の過熱自己遮断型半導体スイッチＱＢのメインＦＥＴＱ３のソース電圧は、第１の過熱自己遮断型半導体スイッチＱＡのメインＦＥＴＱ１に過大に流れたときに、このメインＦＥＴＱ１のソース（ソース側端子ＳＡ）に発生するソース電圧と比較して負荷Ｌに過電流が流れたことを検出するための第１の基準電圧である。
【００２０】
このように第２の過熱自己遮断型半導体スイッチＱＢは、メインＦＥＴＱ３のソースに接続される第１のリファレンス抵抗Ｒｒ１の短絡等によって第２の過熱自己遮断型半導体スイッチＱＢのメインＦＥＴＱ３に過電流が流れたときに、このメインＦＥＴＱ３が過熱して破壊されるのを防止するため、このメインＦＥＴＱ３の温度が規定値以上に上昇すると自らの作用で強制的にオフ（遮断）する過熱自己遮断機能を備えている。この第２の過熱自己遮断型半導体スイッチＱＢを構成しているメインＦＥＴＱ３は、ＤＭＯＳ構造のＮＭＯＳＦＥＴで構成されている。
【００２１】
また、第３の過熱自己遮断型半導体スイッチＱＣは、図５に示す如き構成を有しており、この第３の過熱自己遮断型半導体スイッチＱＣは、図３に図示の第１の過熱自己遮断型半導体スイッチＱＡと同一の構成となっている。すなわち、ドレン側端子ＤＣには、メインＦＥＴＱ５のドレンが接続されており、メインＦＥＴＱ５のソースには、ソース側端子ＳＣが接続されている。このメインＦＥＴＱ５のゲートは、内部抵抗ＲＣ（例えば、１０ｋΩ）を介してゲート側端子ＧＣに接続されている。このゲート側端子ＧＣとソース側端子ＳＣとの間には、温度検知回路５０が接続されている。この温度検知回路５０は、メインＦＥＴＱ５の温度を検出するためのもので、この温度検知回路５０には、ラッチ回路５１が接続されている。そして、この温度検知回路５０は、メインＦＥＴＱ５に所定電流より過大の電流が流れる等によってメインＦＥＴＱ５の温度が所定温度（異常温度）以上になったときにラッチ回路５１にオン信号を出力する機能を有している。そして、このラッチ回路５１は、温度検知回路５０からの信号を受けてオン信号を出力し続ける作用を有している。さらに、このラッチ回路５１の出力端子には、過熱遮断用ＦＥＴＱ６のゲートが接続されており、温度検知回路５０によってメインＦＥＴＱ５が過熱したことを検出したときは、ラッチ回路５１を介して出力されるオン信号によって過熱遮断用ＦＥＴＱ６をオンし、メインＦＥＴＱ５のゲート電圧を落としてメインＦＥＴＱ５を遮断する。
【００２２】
一方、第３の過熱自己遮断型半導体スイッチＱＣのソース側端子ＳＣには、出力側端子Ｆを介して第２のリファレンス抵抗Ｒｒ２が接続されており、この第２のリファレンス抵抗Ｒｒ２の他端は接地されている。そして、このメインＦＥＴＱ５と第２のリファレンス抵抗Ｒｒ２とによって第２のリファレンス回路が構成されている。この第２のリファレンス回路は、第１の過熱自己遮断型半導体スイッチＱＡのメインＦＥＴＱ１と負荷Ｌとの直列回路に並列に接続されている。
この第２のリファレンス回路は、第１の過熱自己遮断型半導体スイッチＱＡのメインＦＥＴＱ１をオンして負荷Ｌに電流を流し、この負荷Ｌに正常に電流が流れている状態のときに第１の過熱自己遮断型半導体スイッチＱＡのメインＦＥＴＱ１のソース（ソース側端子ＳＡ）に発生する電圧と同じ電圧（基準電圧）を、第３の過熱自己遮断型半導体スイッチＱＣのメインＦＥＴＱ５のソース（ソース側端子ＳＣ）に常時発生させる作用を有している。すなわち、この第３の過熱自己遮断型半導体スイッチＱＣのメインＦＥＴＱ５のソース（ソース側端子ＳＣ）には、第１の過熱自己遮断型半導体スイッチＱＡのソース側端子ＳＡに接続される負荷Ｌの状態の変化に拘わらず、常に一定したソース電圧が発生するようになっている。
【００２３】
この第３の過熱自己遮断型半導体スイッチＱＣのメインＦＥＴＱ５のソース電圧は、第１の過熱自己遮断型半導体スイッチＱＡのメインＦＥＴＱ１がオンしているにも拘わらず、負荷Ｌに電流が流れないか過少な電流が流れたとき（負荷断線等の場合）に、第１の過熱自己遮断型半導体スイッチＱＡのメインＦＥＴＱ１に流れる電流量が、第２の所定値より過小に流れたときに、このメインＦＥＴＱ１のソース電圧と比較して負荷Ｌに電流が過少に流れたことを検出するための第２の基準電圧である。
【００２４】
このように第３の過熱自己遮断型半導体スイッチＱＣは、メインＦＥＴＱ５のソースに接続される第２のリファレンス抵抗Ｒｒ２の短絡等によって第３の過熱自己遮断型半導体スイッチＱＣのメインＦＥＴＱ５に過電流が流れたときに、このメインＦＥＴＱ５が過熱して破壊されるのを防止するため、このメインＦＥＴＱ５の温度が規定値以上に上昇すると自らの作用で強制的にオフ（遮断）する過熱自己遮断機能を備えている。この第３の過熱自己遮断型半導体スイッチＱＣを構成しているメインＦＥＴＱ５は、ＤＭＯＳ構造のＮＭＯＳＦＥＴで構成されている。
【００２５】
また、第１の過熱自己遮断型半導体スイッチＱＡのメインＦＥＴＱ１と、第２の過熱自己遮断型半導体スイッチＱＢのメインＦＥＴＱ３と、第３の過熱自己遮断型半導体スイッチＱＣのメインＦＥＴＱ５は、複数のトランジスタで構成されており、このメインＦＥＴＱ１、メインＦＥＴＱ２、メインＦＥＴＱ３を構成するトランジスタ数の比は、
メインＦＥＴＱ１＞メインＦＥＴＱ３
メインＦＥＴＱ１＞メインＦＥＴＱ５
となっている。具体的には、例えば、第１の過熱自己遮断型半導体スイッチＱＡのメインＦＥＴＱ１と第２の過熱自己遮断型半導体スイッチＱＢのメインＦＥＴＱ３、および第１の過熱自己遮断型半導体スイッチＱＡのメインＦＥＴＱ１と第３の過熱自己遮断型半導体スイッチＱＣのメインＦＥＴＱ５の各トランジスタ数の比は１０００：１に設定してある。
【００２６】
そして、第１のリファレンス抵抗Ｒｒ１は、例えば第１の過熱自己遮断型半導体スイッチＱＡのメインＦＥＴＱ１に５Ａの負荷電流（ドレイン電流）が流れたとき、第２の過熱自己遮断型半導体スイッチＱＢのメインＦＥＴＱ３に５ｍＡのドレイン電流が流れ、第１の過熱自己遮断型半導体スイッチＱＡのメインＦＥＴＱ１のドレイン・ソース間電圧Ｖｄｓと同じドレイン・ソース間電圧を第２の過熱自己遮断型半導体スイッチＱＢのメインＦＥＴＱ３のドレイン・ソース間に発生させるようにような値に設定してある。
また、第１のリファレンス抵抗Ｒｒ１と第２のリファレンス抵抗Ｒｒ２は、例えば第１の過熱自己遮断型半導体スイッチＱＡのメインＦＥＴＱ１に５Ａの負荷電流が流れたとき、第３の過熱自己遮断型半導体スイッチＱＣのメインＦＥＴＱ５に５ｍＡのドレイン電流が流れ、第１の過熱自己遮断型半導体スイッチＱＡのメインＦＥＴＱ１のドレイン・ソース間電圧Ｖｄｓと同じドレイン・ソース間電圧を第３の過熱自己遮断型半導体スイッチＱＣのメインＦＥＴＱ５のドレイン・ソース間に発生させるようにような値に設定してある。
【００２７】
したがって、第１の過熱自己遮断型半導体スイッチＱＡのメインＦＥＴＱ１のゲート・ソース間電圧と第２の過熱自己遮断型半導体スイッチＱＢのメインＦＥＴＱ３のゲート・ソース間電圧とは、第１の過熱自己遮断型半導体スイッチＱＡのメインＦＥＴＱ１に接続される負荷Ｌが正常である限り、一致した値となる。同様に、第１の過熱自己遮断型半導体スイッチＱＡのメインＦＥＴＱ１のゲート・ソース間電圧と第３の過熱自己遮断型半導体スイッチＱＣのメインＦＥＴＱ５のゲート・ソース間電圧とは、第１の過熱自己遮断型半導体スイッチＱＡのメインＦＥＴＱ１に接続される負荷Ｌが正常である限り、一致した値となる。
【００２８】
第１の過熱自己遮断型半導体スイッチＱＡのメインＦＥＴＱ１のゲートと、第２の過熱自己遮断型半導体スイッチＱＢのメインＦＥＴＱ３のゲートと、第３の過熱自己遮断型半導体スイッチＱＣのメインＦＥＴＱ５のゲートとは、抵抗Ｒ７と抵抗Ｒ８の直列回路を介して駆動回路２に接続されており、この駆動回路２から出力されるゲート信号によって第１の過熱自己遮断型半導体スイッチＱＡのメインＦＥＴＱ１と、第２の過熱自己遮断型半導体スイッチＱＢのメインＦＥＴＱ３と、第３の過熱自己遮断型半導体スイッチＱＣのメインＦＥＴＱ５とは、同時にオン・オフするようになっている。
【００２９】
また、第１の過熱自己遮断型半導体スイッチＱＡのメインＦＥＴＱ１のソースには、ツェナーダイオードＺＤ１のアノードが接続されており、このツェナーダイオードＺＤ１のカソードには抵抗Ｒ７と抵抗Ｒ８の接続点が接続されている。また、第１の過熱自己遮断型半導体スイッチＱＡのメインＦＥＴＱ１のソースには、抵抗Ｒ５を介してコンパレータＣＭＰ１の（＋）側入力端子と、コンパレータＣＭＰ２の（−）側入力端子がそれぞれ接続されている。このツェナーダイオードＺＤ１は、第１の過熱自己遮断型半導体スイッチＱＡのメインＦＥＴＱ１のゲート・ソース間を電源電圧（１２Ｖ）に保ってゲートに過電圧が印加されようとした場合に、これをバイパスさせるためのものである。
このコンパレータＣＭＰ１は、第１の過熱自己遮断型半導体スイッチＱＡのメインＦＥＴＱ１のソースに誘起される電圧と第２の過熱自己遮断型半導体スイッチＱＢのメインＦＥＴＱ３のソースに誘起される電圧とを比較して第１の過熱自己遮断型半導体スイッチＱＡのメインＦＥＴＱ１に接続される負荷Ｌに過大電流が流れるのを検出するためのものである。すなわち、コンパレータＣＭＰ１の出力は、第１の過熱自己遮断型半導体スイッチＱＡのメインＦＥＴＱ１のソース電圧（ソースＳＡ側の電位）と第２の過熱自己遮断型半導体スイッチＱＢのメインＦＥＴＱ３のソース電圧（ソースＳＢ側の電位）とを比較し、その差が過電流判定値以下である間（第１の過熱自己遮断型半導体スイッチＱＡのメインＦＥＴＱ１のソースの電位が第２の過熱自己遮断型半導体スイッチＱＢのメインＦＥＴＱ３のソースの電位以上である間）はＨｉが出力され、その差が過電流判定値より大きくなると（第１の過熱自己遮断型半導体スイッチＱＡのメインＦＥＴＱ１のソースの電位が第２の過熱自己遮断型半導体スイッチＱＢのメインＦＥＴＱ３のソースの電位より小さくなると）反転してＬｏｗが出力され、過大電流が流れたと判定する。
【００３０】
また、コンパレータＣＭＰ２は、第１の過熱自己遮断型半導体スイッチＱＡのメインＦＥＴＱ１のソースに誘起される電圧と第３の過熱自己遮断型半導体スイッチＱＣのメインＦＥＴＱ５のソースに誘起される電圧とを比較して第１の過熱自己遮断型半導体スイッチＱＡのメインＦＥＴＱ１に電流が所定量流れているか（過小電流となっていないか）を検出するためのものである。すなわち、コンパレータＣＭＰ２の出力は、第１の過熱自己遮断型半導体スイッチＱＡのメインＦＥＴＱ１のソース電圧（ソースＳＡ側の電位）と第３の過熱自己遮断型半導体スイッチＱＣのメインＦＥＴＱ５のソース電圧（ソースＳＣ側の電位）とを比較し、その差が過小電流判定値以下である間（第１の過熱自己遮断型半導体スイッチＱＡのメインＦＥＴＱ１のソース電圧が第３の過熱自己遮断型半導体スイッチＱＣのメインＦＥＴＱ５のソース電圧よりも低い値である間）はＨｉが出力され、その差が過小電流判定値より大きくなると（第１の過熱自己遮断型半導体スイッチＱＡのメインＦＥＴＱ１のソース電圧が第３の過熱自己遮断型半導体スイッチＱＣのメインＦＥＴＱ５のソース電圧より高くなると）反転してＬｏｗが出力され過小電流になったと判定する。
また、第２の過熱自己遮断型半導体スイッチＱＢのメインＦＥＴＱ３のソースには、抵抗Ｒ６を介してコンパレータＣＭＰ１の（−）側入力端子が接続されている。
さらに、第３の過熱自己遮断型半導体スイッチＱＣのメインＦＥＴＱ５のソースには、コンパレータＣＭＰ２の（＋）側入力端子が接続されている。
【００３１】
一方、電源供給制御装置１の入力側端子Ａには、ＰＮＰトランジスタＴｒ１のエミッタが接続されており、このＰＮＰトランジスタＴｒ１のコレクタには、抵抗Ｒ１と抵抗Ｒ３と抵抗Ｒ２の直列回路が接続されており、抵抗Ｒ２の他端は接地されている。そして、コンパレータＣＭＰ１の（＋）側入力端子は、抵抗Ｒ１と抵抗Ｒ３の接続点にダイオードＤ１を介して接続されており、コンパレータＣＭＰ１の（−）側入力端子は、抵抗Ｒ３と抵抗Ｒ２の接続点にダイオードＤ２を介して接続されている。したがって、コンパレータＣＭＰ１の（＋）側入力端子には、バッテリＶＢから供給される電源電圧を、抵抗Ｒ１と、抵抗Ｒ３とＲ２の合成抵抗とによって分圧した電圧が、コンパレータＣＭＰ１の（−）側入力端子には、抵抗Ｒ１と抵抗Ｒ３の合成抵抗と、Ｒ２とによって分圧した電圧がそれぞれ印加されるように構成されている。
このＰＮＰトランジスタＴｒ１と、抵抗Ｒ１，抵抗Ｒ３，抵抗Ｒ２と、ダイオードＤ１，ダイオードＤ２によって、短絡等の異常により第１の過熱自己遮断型半導体スイッチＱＡのメインＦＥＴＱ１がオンからオフになった後に、この第１の過熱自己遮断型半導体スイッチＱＡのメインＦＥＴＱ１をオンに復帰させるための復帰回路を構成している。この復帰回路は、エミッタがバッテリＶＢ側の出力端子に、ベースが抵抗Ｒ１０を介してスイッチＳＷ１側の入力端子にそれぞれ接続されたトランジスタＴｒ１と、そのコレクタとグランドの間に直列接続された抵抗Ｒ１，Ｒ３，Ｒ２と、抵抗Ｒ１に流れる電流をコンパレータＣＭＰ１の（＋）端子側へ通すダイオードＤ１と、抵抗Ｒ１，抵抗Ｒ３に流れる電流をコンパレータＣＭＰ１の−端子側へ通すダイオードＤ２とからなる。抵抗Ｒ１の抵抗値は、スイッチＳＷ１をオンにしてトランジスタＴｒ１がオンになると、抵抗Ｒ１，Ｒ３の接続点の電位Ｖ１がバッテリの６０〜８０％程度で、ソースＳＡの電位が抵抗Ｒ５での前記電圧降下分だけ下がった電圧Ｖ３（ダイオードＤ１のカソード側電位）より大きい値になるように設定されている。
【００３２】
さらに、コンパレータＣＭＰ１の（＋）側入力端子には、抵抗Ｒ９を介してダイオードＤ３のアノードが接続されており、このダイオードＤ３のカソードには駆動回路２のゲート信号出力端子が接続されている。
コンパレータＣＭＰ１の出力端子は、駆動回路２に接続されており、コンパレータＣＭＰ１の判定結果が駆動回路２に入力されるようになっている。この駆動回路２には、チャージポンプ回路３で昇圧された電圧ＶＰ（例えば、ＶＰ＝ＶＢ＋５Ｖ）が印加されており、駆動回路２は、コンパレータＣＭＰ１から出力されているＨｉの信号と、スイッチＳＷ１をオンすることによってスイッチ側から入力されるオン信号の入力とによって、駆動回路２のソース側トランジスタ２ａがオンしてシンク側トランジスタ２ｂがオフし、電圧ＶＰの駆動信号を抵抗Ｒ８，抵抗Ｒ７を介して第１の過熱自己遮断型半導体スイッチＱＡのメインＦＥＴＱ１のゲートに出力し、これによって第１の過熱自己遮断型半導体スイッチＱＡのメインＦＥＴＱ１をオンするようになっている。この駆動回路２は、コンパレータＣＭＰ１からＨｉの信号が入力されている間（Ｌｏｗの信号が出力されない限り）、第１の過熱自己遮断型半導体スイッチＱＡのメインＦＥＴＱ１のゲートにオン信号を出力し続ける。この駆動回路２は、コンパレータＣＭＰ１が反転してコンパレータＣＭＰ１からＬｏｗ信号が入力されると、駆動回路２のソース側トランジスタ２ａがオフしシンク側トランジスタ２ｂがオンし、駆動回路２からの出力がＬｏｗとなってメインサーマルＦＥＴＱＡのゲートにオフ信号を出力し、メインサーマルＦＥＴＱＡをオフする。
また、コンパレータＣＭＰ２の出力端子は、外部への出力端子Ｆに接続されており、コンパレータＣＭＰ２によって判定された結果は、出力端子Ｆに接続される回路によって利用される。
【００３３】
起動時、スイッチＳＷ１を投入すると、ＰＮＰトランジスタＴｒ１がオンし、ＶＢ（１２Ｖ）を抵抗Ｒ１と（抵抗Ｒ３＋抵抗Ｒ２）とによって分圧された電圧値（例えば、電源電圧の８０％〜６０％）がコンパレータＣＭＰ１の（＋）側端子に印加されるようになっている。コンパレータＣＭＰ１の（−）側端子には、（抵抗Ｒ１＋抵抗Ｒ３）と抵抗Ｒ２とによって分圧された電圧値（例えば、電源電圧の２０％〜４０％）が印加されるようになっている。この抵抗Ｒ３は小さい抵抗値のものが使用されており、抵抗Ｒ１の抵抗値と（抵抗Ｒ３＋抵抗Ｒ２）の抵抗値の差は微差である。
【００３４】
スイッチＳＷ１をオンし、ＰＮＰトランジスタＴｒ１のオンによって、ＶＢ（１２Ｖ）を抵抗Ｒ１と（抵抗Ｒ３＋抵抗Ｒ２）とで分圧した電圧がコンパレータＣＭＰ１の（＋）側入力端子とコンパレータＣＭＰ１の（−）側入力端子に印加され、コンパレータＣＭＰ１の（＋）側入力端子に印加される電圧がコンパレータＣＭＰ１の（−）側入力端子に印加される電圧よりも大きいため、コンパレータＣＭＰ１の出力はＨｉとなり、駆動回路２を駆動し、駆動回路２からはゲート駆動信号Ｈｉが出力される。このゲート駆動信号Ｈｉは、第１の過熱自己遮断型半導体スイッチＱＡのメインＦＥＴＱ１のゲートに印加され、このメインＦＥＴＱ１をオンする。このゲート駆動信号は同時に第２の過熱自己遮断型半導体スイッチＱＢのメインＦＥＴＱ３、第３の過熱自己遮断型半導体スイッチＱＣのメインＦＥＴＱ５をオンする。
【００３５】
いま、負荷Ｌ側に短絡等のデットショートが生じると、第１の過熱自己遮断型半導体スイッチＱＡのメインＦＥＴＱ１のドレイン・ソース間の電圧Ｖｄｓは大きくなり（第１の過熱自己遮断型半導体スイッチＱＡのメインＦＥＴＱ１がオンしている限りドレイン・ソース間の電圧が大きくなり）、第１の過熱自己遮断型半導体スイッチＱＡのメインＦＥＴＱ１のオン抵抗と、短絡電流で決まるところで安定する。第２の過熱自己遮断型半導体スイッチＱＢのメインＦＥＴＱ３のソースの方は、連続でオンしている状態では正常であれば第２の過熱自己遮断型半導体スイッチＱＢのメインＦＥＴＱ３のソースに比べて第１の過熱自己遮断型半導体スイッチＱＡのメインＦＥＴＱ１のソースの方が高いように第１のリファレンス抵抗Ｒｒ１が設定してあるので、第１の過熱自己遮断型半導体スイッチＱＡのメインＦＥＴＱ１のソースの方は下がってくる。通常オンしているときには、第１の過熱自己遮断型半導体スイッチＱＡのメインＦＥＴＱ１のドレイン・ソース間の電圧Ｖｄｓ（０．５Ｖ位）であるから、抵抗Ｒ１，抵抗Ｒ３，抵抗Ｒ２による分圧電圧よりも第１の過熱自己遮断型半導体スイッチＱＡのメインＦＥＴＱ１のソース，第２の過熱自己遮断型半導体スイッチＱＢのメインＦＥＴＱ３のソースとも高い（電源電圧に近くなってくる）。この抵抗Ｒ１，抵抗Ｒ３，抵抗Ｒ２による分圧電圧は、ダイオードＤ１，Ｄ２でカットされてしまい、コンパレータＣＭＰ１の（＋）側入力端子、（−）側入力端子には無関係になってくる。すなわち、第１の過熱自己遮断型半導体スイッチＱＡのメインＦＥＴＱ１のソース，第２の過熱自己遮断型半導体スイッチＱＢのメインＦＥＴＱ３のソースの値がダイレクトにコンパレータＣＭＰ１の（＋）側入力端子、（−）側入力端子に入っている。
【００３６】
一方、コンパレータＣＭＰ１の（＋）側入力端子に、抵抗Ｒ９，ダイオードＤ３という回路が接続されており、この回路のダイオードＤ３のカソードがゲート信号出力端子に繋がっている。配線が正常の状態では、第１の過熱自己遮断型半導体スイッチＱＡのメインＦＥＴＱ１のゲートはオンするから、このダイオードＤ３のカソードはかなり高い電圧になっている。したがって、ダイオードＤ３はカットオフされて、抵抗Ｒ９とダイオードＤ３の直列回路には電流が流れない。したがって、抵抗Ｒ５，抵抗Ｒ６には電流が全然流れなくて、第１の過熱自己遮断型半導体スイッチＱＡのメインＦＥＴＱ１のソースと第２の過熱自己遮断型半導体スイッチＱＢのメインＦＥＴＱ３のソースの電圧がダイレクトにコンパレータＣＭＰ１の（＋）側入力端子、（−）側入力端子に入力されている。このとき、配線が正常（デッドショートでない）の場合は、第１の過熱自己遮断型半導体スイッチＱＡのメインＦＥＴＱ１のソースに比べて第２の過熱自己遮断型半導体スイッチＱＢのメインＦＥＴＱ３のソースが小さくなるように第１のリファレンス抵抗Ｒｒ１を設定してあるのでコンパレータＣＭＰ１の出力はＨｉになっている。
【００３７】
この状態で第１の過熱自己遮断型半導体スイッチＱＡのメインＦＥＴＱ１のソースと負荷Ｌ間で短絡が発生すると、第１の過熱自己遮断型半導体スイッチＱＡのメインＦＥＴＱ１側には、大電流が流れて、この第１の過熱自己遮断型半導体スイッチＱＡのメインＦＥＴＱ１のオン抵抗に大電流がかかり、ドレイン・ソース間の電位差が大きくなる。ところが第２の過熱自己遮断型半導体スイッチＱＢのメインＦＥＴＱ３の方は、第１のリファレンス抵抗Ｒｒ１によって固定されているので、相変わらずコンスタントである。したがって、第２の過熱自己遮断型半導体スイッチＱＢのメインＦＥＴＱ３のソースに対して第１の過熱自己遮断型半導体スイッチＱＡのメインＦＥＴＱ１のソースの方が下がってくる。すると、コンパレータＣＭＰ１は反転し、コンパレータＣＭＰ１の出力はＬｏｗになって第１の過熱自己遮断型半導体スイッチＱＡのメインＦＥＴＱ１を遮断しようとする。
【００３８】
この第１の過熱自己遮断型半導体スイッチＱＡのメインＦＥＴＱ１を遮断しようとすると、駆動回路２のソース側のトランジスタ２ａがオフして、シンク側のトランジスタ２ｂがオンする。そのために、抵抗Ｒ９とダイオードＤ３の直列回路のダイオードＤ３のカソード側が接地されるから、抵抗Ｒ９とダイオードＤ３の直列回路に電流が流れる。この電流は、第１の過熱自己遮断型半導体スイッチＱＡのメインＦＥＴＱ１のソースから抵抗Ｒ５を通って、抵抗Ｒ９を通って，ダイオードＤ３を通ってアースに落ちるというように流れる。すると、抵抗Ｒ５に電流が流れてることによって、この抵抗Ｒ５による電圧ドロップが生じる。この電圧ドロップのため、コンパレータＣＭＰ１の（＋）側入力端子は第１の過熱自己遮断型半導体スイッチＱＡのメインＦＥＴＱ１のソースよりも抵抗Ｒ５の電圧ドロップ分だけ下がる。これがヒステリシスである。
【００３９】
第２の過熱自己遮断型半導体スイッチＱＢのメインＦＥＴＱ３のソースに比べて第１の過熱自己遮断型半導体スイッチＱＡのメインＦＥＴＱ１のソースの方が一旦低くなると、コンパレータＣＭＰ１が反転して駆動回路２のＬｏｗの信号が入力され駆動回路２をオフしようとする。この駆動回路２を一旦停止すると、駆動回路２のソース側のトランジスタ２ａがオフして、シンク側のトランジスタ２ｂがオンするため、抵抗Ｒ９とダイオードＤ３の直列回路に電流が流れて、コンパレータＣＭＰ１の（＋）側入力端子は実際の第１の過熱自己遮断型半導体スイッチＱＡのメインＦＥＴＱ１のソースよりも低い電圧になる。したがって、第１の過熱自己遮断型半導体スイッチＱＡのメインＦＥＴＱ１のソースが若干起き上がってフラフラしてもコンパレータＣＭＰ１は安定してオフしている。すなわち、抵抗Ｒ９とダイオードＤ３がヒステリシス回路を構成している。
【００４０】
この状態で、今度は、駆動回路２がオフするから第１の過熱自己遮断型半導体スイッチＱＡのメインＦＥＴＱ１，第２の過熱自己遮断型半導体スイッチＱＢのメインＦＥＴＱ３はオフの方向に移行する。まず、ドレイン・ソース間の電圧がどっちも段々と広がっていく。このドレイン・ソース間電圧が広がっていくと、それに引っ張られてゲートの中のＣＧＤの容量が充電されていき、充電されながら引っ張られて第１の過熱自己遮断型半導体スイッチＱＡのメインＦＥＴＱ１，第２の過熱自己遮断型半導体スイッチＱＢのメインＦＥＴＱ３の真のゲート・ソース間の電圧が大きくなって電流は一時増える。
しかし、メインＦＥＴＱ１，メインＦＥＴＱ３のソースの電圧は無限に大きくなれないから、電源電圧（１２Ｖ）より少しオーバーしたところで飽和し、それ以上は引っ張り効果がなくなって、ゲートの放電回路で第１の過熱自己遮断型半導体スイッチＱＡのメインＦＥＴＱ１，第２の過熱自己遮断型半導体スイッチＱＢのメインＦＥＴＱ３のゲートチャージがどんどん抜けてきて、ソースに対してゲート電圧が下がってくる。そのために、第１の過熱自己遮断型半導体スイッチＱＡのメインＦＥＴＱ１，第２の過熱自己遮断型半導体スイッチＱＢのメインＦＥＴＱ３の電流が減っていくと同時に、第１の過熱自己遮断型半導体スイッチＱＡのメインＦＥＴＱ１，第２の過熱自己遮断型半導体スイッチＱＢのメインＦＥＴＱ３共にソース電圧がどんどん大きくなっていく。
【００４１】
このような状態になると、今度は、電源電圧を抵抗Ｒ１，抵抗Ｒ３，抵抗Ｒ２で分圧した電圧がコンパレータＣＭＰ１の（＋）側入力端子、（−）側入力端子に印加されることになる。すると、コンパレータＣＭＰ１の（＋）側入力端子に印加される抵抗Ｒ１，抵抗Ｒ３，抵抗Ｒ２による分圧電圧は、（−）側入力端子に印加される抵抗Ｒ１，抵抗Ｒ３，抵抗Ｒ２による分圧電圧に比べて、抵抗Ｒ３の電圧ドロップ分だけ高くなっており、コンパレータＣＭＰ１の出力は反転し、確実にＨｉになる。このコンパレータＣＭＰ１の出力Ｈｉになると、再び駆動回路２がオンし、ゲート信号を第１の過熱自己遮断型半導体スイッチＱＡのメインＦＥＴＱ１のゲートに送り、第１の過熱自己遮断型半導体スイッチＱＡのメインＦＥＴＱ１をオンする。これによって負荷Ｌに電流が流れる。このようなオン・オフを図６に図示Ａの波形のように繰り返して行う。
【００４２】
ＯＮ／ＯＦＦ計数回路４は、第１の過熱自己遮断型半導体スイッチＱＡのメインＦＥＴＱ１のゲートがオフで、駆動回路２がオフの状態、すなわち、駆動回路２のシンクのトランジスタ２ｂがオンになっているときに、第１の過熱自己遮断型半導体スイッチＱＡのメインＦＥＴＱ１のソースがグランドよりも高い電圧（５Ｖ）になっているときが有り、そのような状態に作動するものである。具体的には、ＣＲ積分回路を用いており、コンデンサＣ１はこのＣＲ積分回路のコンデンサである。
【００４３】
このように第１の過熱自己遮断型半導体スイッチＱＡのメインＦＥＴＱ１のドレインＤＡと第２の過熱自己遮断型半導体スイッチＱＢのメインＦＥＴＱ３のドレインＤＢと第３の過熱自己遮断型半導体スイッチＱＣのメインＦＥＴＱ５のドレインＤＣの各ドレイン、および第１の過熱自己遮断型半導体スイッチＱＡのメインＦＥＴＱ１のゲートＧＡと第２の過熱自己遮断型半導体スイッチＱＢのメインＦＥＴＱ３のゲートＧＢと第３の過熱自己遮断型半導体スイッチＱＣのメインＦＥＴＱ５のゲートＧＣの各ゲートを共通化するすることにより同一チップへの集積化を容易にすることができる。また、第１の過熱自己遮断型半導体スイッチＱＡのメインＦＥＴＱ１と第２の過熱自己遮断型半導体スイッチＱＢのメインＦＥＴＱ３と第３の過熱自己遮断型半導体スイッチＱＣのメインＦＥＴＱ５は、同一プロセスで同一チップ上に形成されたものを使用することとして、温度ドリフトやロット間のバラツキの影響を除去するようにしている。
【００４４】
いま、スイッチＳＷ１を投入すると、図示されているマイコン８もオンする。このマイコン８は、オンすると内部に設けられたタイマーが起動する。これと同時にＰＮＰトランジスタＴｒ１がオンし、ＶＢ（１２Ｖ）を抵抗Ｒ１と（抵抗Ｒ３＋抵抗Ｒ２）とで分圧した電圧がコンパレータＣＭＰ１の（＋）側入力端子とコンパレータＣＭＰ１の（−）側入力端子に印加され、コンパレータＣＭＰ１の（＋）側入力端子に印加される電圧がコンパレータＣＭＰ１の（−）側入力端子に印加される電圧よりも大きいので、コンパレータＣＭＰ１の出力はＨｉとなり、駆動回路２を駆動し、駆動回路２からはゲート駆動信号Ｈｉが出力される。このゲート駆動信号Ｈｉは、第１の過熱自己遮断型半導体スイッチＱＡのメインＦＥＴＱ１のゲートに印加され、第１の過熱自己遮断型半導体スイッチＱＡのメインＦＥＴＱ１をオンする。この第１の過熱自己遮断型半導体スイッチＱＡのメインＦＥＴＱ１のオンによって突入電流が負荷Ｌに供給される。この突入電流の電流値は、オペアンプ７から出力されてマイコン８に入力される。
【００４５】
このマイコン８は、起動時は、第１の過熱自己遮断型半導体スイッチＱＡのメインＦＥＴＱ１をオンし、予め設定されている図６に図示波形Ａのａに示される電流値の突入電流を図６に図示波形Ａのａに示される時間供給する。図６に図示波形Ａのａに示される電流値を図６に図示波形Ａのａに示される時間供給すると、図６に図示のヒューズ溶断曲線Ｂに示す許容電流を超えるため、マイコン８は、第１の過熱自己遮断型半導体スイッチＱＡのメインＦＥＴＱ１を遮断する信号を駆動回路２に出力し、第１の過熱自己遮断型半導体スイッチＱＡのメインＦＥＴＱ１を遮断する。すると、負荷Ｌに供給される電流は、急激に低下し、ヒューズ溶断曲線Ｂに示す許容電流を下回り図６に図示波形Ａのｂに示す電流値まで低下する。そこで、ヒューズ溶断曲線Ｂに示す許容電流を下回った図６に図示波形Ａのｂに示される電流値になったところで再び、マイコン８は、第１の過熱自己遮断型半導体スイッチＱＡのメインＦＥＴＱ１をオンさせ、図６に図示波形Ａのｂに示される電流値の電流を図６に図示波形Ａのｂに示される時間供給する。
【００４６】
図６に図示波形Ａのｂに示される電流値を図６に図示波形Ａのｂに示される時間供給すると、図６に図示のヒューズ溶断曲線Ｂに示す許容電流を超えるため、マイコン８は、第１の過熱自己遮断型半導体スイッチＱＡのメインＦＥＴＱ１を遮断する信号を駆動回路２に出力し、第１の過熱自己遮断型半導体スイッチＱＡのメインＦＥＴＱ１を遮断する。すると、負荷Ｌに供給される電流は、急激に低下し、図６に図示のヒューズ溶断曲線Ｂに示す許容電流を下回り図６に図示波形Ａのｃに示す電流値まで低下する。そこで、図６に図示のヒューズ溶断曲線Ｂに示す許容電流を下回った図６に図示波形Ａのｃに示される電流値になったところで再び、マイコン８は、第１の過熱自己遮断型半導体スイッチＱＡのメインＦＥＴＱ１をオンさせ、図６に図示波形Ａのｃに示される電流値の電流を図６に図示波形Ａのｃに示される時間供給する。
【００４７】
図６に図示波形Ａのｃに示される電流値を図６に図示波形Ａのｃに示される時間供給すると、図６に図示のヒューズ溶断曲線Ｂに示す許容電流を超えるため、マイコン８は、第１の過熱自己遮断型半導体スイッチＱＡのメインＦＥＴＱ１を遮断する信号を駆動回路２に出力し、第１の過熱自己遮断型半導体スイッチＱＡのメインＦＥＴＱ１を遮断する。すると、負荷Ｌに供給される電流は、急激に低下し、図６に図示のヒューズ溶断曲線Ｂに示す許容電流を下回り図６に図示波形Ａのｄに示す電流値まで低下する。そこで、図６に図示のヒューズ溶断曲線Ｂに示す許容電流を下回った図６に図示波形Ａのｄに示される電流値になったところで再び、マイコン８は、第１の過熱自己遮断型半導体スイッチＱＡのメインＦＥＴＱ１をオンさせ、図６に図示波形Ａのｄに示される電流値の電流を図６に図示波形Ａのｄに示される時間供給する。
【００４８】
図６に図示波形Ａのｄに示される電流値を図６に図示波形Ａのｄに示される時間供給すると、図６に図示のヒューズ溶断曲線Ｂに示す許容電流を超えるため、マイコン８は、第１の過熱自己遮断型半導体スイッチＱＡのメインＦＥＴＱ１を遮断する信号を駆動回路２に出力し、第１の過熱自己遮断型半導体スイッチＱＡのメインＦＥＴＱ１を遮断する。すると、負荷Ｌに供給される電流は、急激に低下し、図６に図示のヒューズ溶断曲線Ｂに示す許容電流を下回り図６に図示波形Ａのｅに示す電流値まで低下する。そこで、図６に図示のヒューズ溶断曲線Ｂに示す許容電流を下回った図６に図示波形Ａのｅに示される電流値になったところで再び、マイコン８は、第１の過熱自己遮断型半導体スイッチＱＡのメインＦＥＴＱ１をオンさせ、図６に図示波形Ａのｅに示される電流値の電流を図６に図示波形Ａのｅに示される時間供給する。
【００４９】
このように第１の過熱自己遮断型半導体スイッチＱＡのメインＦＥＴＱ１を断続して第１の過熱自己遮断型半導体スイッチＱＡのメインＦＥＴＱ１に流れる電流（負荷電流）を、図６に図示波形Ａに示す如く、図６に図示のヒューズ溶断曲線Ｂに沿って階段状に制御することができる。このように制御することにより第１の過熱自己遮断型半導体スイッチＱＡのメインＦＥＴＱ１に図６に図示のヒューズ溶断曲線Ｂに沿った電流を流すことができ、回路に最大限の電流を供給できるため、ヒューズを用いなくても、回路を保護でき、負荷Ｌを早く定格電流に安定させることができる。
【００５０】
【発明の効果】
本発明によれば、回路保護用のヒューズを用いないで、ヒューズ溶断特性曲線上に負荷電流を供給制御し、スイッチ投入後短時間で定格電流に安定させることができる。
【図面の簡単な説明】
【図１】本発明に係る電源供給制御装置を示すブロック図である。
【図２】図１の破線で示す電源供給装置の一例を示す概略構成図。
【図３】図２に図示の第１の過熱自己遮断型半導体スイッチＱＡの詳細回路図である。
【図４】図２に図示の第２の過熱自己遮断型半導体スイッチＱＢの詳細回路図である。
【図５】図２に図示の第３の過熱自己遮断型半導体スイッチＱＣの詳細回路図である。
【図６】本発明に係る電源供給制御装置による電流制御特性を示す図である。
【図７】従来の負荷への電源供給回路図である。
【図８】図７に図示の負荷に供給する電流波形とヒューズ溶断特性曲線と発煙特性曲線を示す図である。
【符号の説明】
１………………………電源供給装置
２………………………駆動回路
５，６，７……………オペアンプ
８………………………マイコン
ＱＡ……………………第１の過熱自己遮断型半導体スイッチ
ＱＢ……………………第２の過熱自己遮断型半導体スイッチ
ＱＣ……………………第３の過熱自己遮断型半導体スイッチ
Ｒｒ１…………………第１のリファレンス抵抗
Ｒｒ２…………………第２のリファレンス抵抗
ＣＭＰ１………………コンパレータ
ＣＭＰ２………………コンパレータ
ＶＢ……………………ＤＣ電源
【図１】
0003986041.tif 000002
【図２】
0003986041.tif 000003
【図３】
0003986041.tif 000004
【図４】
0003986041.tif 000005
【図５】
0003986041.tif 000006
【図６】
0003986041.tif 000007
【図７】
0003986041.tif 000008
【図８】
0003986041.tif 000009